(57)【要約】【課題】画像表示装置にかかる処理負荷を軽減する診療情報表示システム等を提供する。【解決手段】診療情報表示システムは、医用画像診断装置及び各種の情報システムと通信接続される。診療情報表示システムは、医用画像診断装置から医用画像を取得するとともに、情報システムから過去に実施された診療情報及び今後予定されている診療情報を取得して記憶部に記憶する。また、診療情報表示システムは、過去に実施された診療情報及び今後予定されている診療情報を記憶部から読み出し、時系列に整列させて表示させる。また、この画面から予約修正を受け付け可能とする。【選択図】図１
2014153920.tif 000002
【特許請求の範囲】
【請求項１】
医用画像を撮影する医用画像診断装置と、医療に関する各種の情報システムとがネットワークを介して通信接続され、
前記医用画像診断装置及び前記情報システムとネットワークを介して通信接続するためのインターフェイス部と、
前記ネットワークを介して前記医用画像診断装置から医用画像を取得するとともに、前記情報システムから過去に実施された診療情報及び今後予定されている診療情報を取得するデータ取得部と、
取得した前記医用画像及び前記診療情報を記憶する記憶部と、
前記過去に実施された診療情報及び今後予定されている診療情報を前記記憶部から読み出し、時系列に整列させる制御部と、
前記整列された診療情報を表示する表示部と、
を備えることを特徴とする診療情報表示システム。
【請求項２】
前記診療情報を時系列に表示する画面内に前記診療情報の取り消し指示または変更指示を入力する予約修正入力部を設け、
前記表示制御部は、前記診療情報の取り消し指示または変更指示が入力されると、前記診療情報の取り消しまたは変更に関わる前記医用画像診断装置及び前記情報システムに対して前記診療情報の取り消しまたは変更の指示を送信するとともに、前記記憶部に記憶された診療情報を入力された指示に従って削除または変更することを特徴とする請求項１に記載の診療情報表示システム。
【請求項３】
コメントを入力するためのコメント入力部またはコメント入力画面へ遷移するための操作部を、前記診療情報を時系列に表示する画面内に設け、
入力されたコメントを所定の送信先へ送信するコメント送信部を更に備えることを特徴とする請求項１に記載の診療情報表示システム。
【請求項４】
前記制御部は、１軸を時間軸とするヒストリ表を生成し、前記診療情報を前記ヒストリ表の対応する日時位置にアイコン、サムネイル画像、または文字列の形式で配置することを特徴とする請求項１に記載の診療情報表示システム。
【請求項５】
前記ヒストリ表は、患者毎に生成されることを特徴とする請求項４に記載の診療情報表示システム。
【請求項６】
前記表示制御部は、複数の患者についての診療情報を同一の時間軸で患者毎に並べて表示することを特徴とする請求項１に記載の診療情報表示システム。
【請求項７】
前記ヒストリ表に検査室毎の欄をそれぞれ設け、複数の患者についての診療情報を前記ヒストリ表内の該当する検査室欄に配置することを特徴とする請求項４に記載の診療情報表示システム。
【請求項８】
前記診療情報は診療の実施有無を示す情報が付加されて前記記憶部に記憶され、
前記表示制御部は、診療の実施有無に応じて前記アイコン、サムネイル画像、または文字列の表示形式を変更することを特徴とする請求項４に記載の診療情報表示システム。
【請求項９】
前記データ取得部は、前記情報システムから各種の関連情報を収集し、前記診療情報と関連付けて前記記憶部に記憶し、
前記表示制御部は、時系列に表示されている前記診療情報のうち選択された情報に関連づけられている前記関連情報の一部または全部を前記記憶部から読み出し、前記表示装置に表示することを特徴とする請求項１に記載の診療情報表示システム。
【請求項１０】
前記インターフェイス部は、
１または複数の放射線治療計画装置と連携した遠隔治療コンサルティングサーバとネットワークを介して通信接続され、
前記遠隔治療コンサルティングサーバとの間で、治療計画作成依頼と、返信された治療計画案に基づく治療装置の予約情報の生成とを制御する治療計画依頼制御部を更に備えることを特徴とする請求項１に記載の診療情報表示システム。
【請求項１１】
ネットワークを介して通信接続された医用画像診断装置から医用画像を取得するとともに、ネットワークを介して通信接続された１または複数の医療に関する情報システムから過去に実施された診療情報及び今後予定されている診療情報を取得するステップと、
取得した前記医用画像及び前記診療情報を記憶部に記憶するステップと、
前記過去に実施された診療情報及び今後予定されている診療情報を前記記憶部から読み出し、時系列に整列させて表示するステップと、
を含む診療情報表示方法。
【発明の詳細な説明】
【技術分野】
【０００１】
本発明は、診療情報表示システム及び診療情報表示方法に係り、詳細には、検査や治療等の診療情報の表示に関する。
【背景技術】
【０００２】
医療機関ではＸ線画像診断装置等の医用画像データを生成する各種の医用画像診断装置が被検者の健康状態や疾病の画像診断に利用される。画像診断に用いられた医用画像データはデータベース化されて記憶装置に格納されている。例えば、ＰＡＣＳ(Picture Archiving and Communication Systems）と呼ばれるシステムでは、被検者を撮影し、医用画像を生成するモダリティ（医用画像診断装置）からサーバが画像データを受信してデータベースに保存する。また、画像ビューア等のクライアント端末からのリクエストに応答して特定の画像データをデータベースから検索し、クライアント端末に転送し、モニタに表示する。
【０００３】
ところで上述のＰＡＣＳ等において読影医等による医用画像の検索を容易にすることを目的として、特許文献１には、患者の検査画像のサムネイル画像や検査アイコンを時間軸の検査日に対応する位置に配置するヒストリエリアについて記載されている。
【先行技術文献】
【特許文献】
【０００４】
【特許文献１】国際公開第２０１１／１２２４０１号
【発明の概要】
【発明が解決しようとする課題】
【０００５】
しかしながら、特許文献１では、ヒストリエリアへの表示の対象は実施済みの検査情報となっている。したがって、過去の検査についての情報が時間軸に沿って表示されることが開示されているが、今後の検査や治療等の予定を表示することについて配慮されていない。画像診断は、過去の検査履歴や治療実施情報を参照して行うだけでなく、今後の検査計画や治療計画をも考慮する必要がある。また、各検査の結果を速やかに俯瞰し、次に必要な検査、治療の計画に反映させることも必要である。
【０００６】
本発明は、前述した問題点に鑑みてなされたもので、その目的は、過去から未来に渡る検査や治療等の診療情報を俯瞰できるように表示することが可能な診療情報表示システム、及び診療情報表示方法を提供することにある。
【課題を解決するための手段】
【０００７】
上記目的を達成するために第１の発明は、医用画像を撮影する医用画像診断装置と、医療に関する各種の情報システムとがネットワークを介して通信接続され、前記医用画像診断装置及び前記情報システムとネットワークを介して通信接続するためのインターフェイス部と、前記ネットワークを介して前記医用画像診断装置から医用画像を取得するとともに、前記情報システムから過去に実施された診療情報及び今後予定されている診療情報を取得するデータ取得部と、取得した前記医用画像及び前記診療情報を記憶する記憶部と、前記過去に実施された診療情報及び今後予定されている診療情報を前記記憶部から読み出し、時系列に整列させる制御部と、前記整列された診療情報を表示する表示部と、を備えることを特徴とする診療情報表示システムである。
【０００８】
第２の発明は、ネットワークを介して通信接続された医用画像診断装置から医用画像を取得するとともに、ネットワークを介して通信接続された１または複数の医療に関する情報システムから過去に実施された診療情報及び今後予定されている診療情報を取得するステップと、取得した前記医用画像及び前記診療情報を記憶部に記憶するステップと、前記過去に実施された診療情報及び今後予定されている診療情報を前記記憶部から読み出し、時系列に整列させて表示するステップと、を含む診療情報表示方法である。
【発明の効果】
【０００９】
本発明により、検査や治療等の診療情報を過去から未来へ渡って俯瞰できるように表示することが可能な診療情報表示システム、及び診療情報表示方法を提供することができる。
【図面の簡単な説明】
【００１０】
【図１】第１の実施の形態の診療情報表示システム１のシステム構成を示す図
【図２】コンピュータの内部構成を示す図
【図３】第１の実施の形態の診療情報表示システム１におけるデータの流れを示す図
【図４】データベース２５に記憶される検査予約情報２５２のデータ構成図
【図５】医用画像表示システム２が実行する診療情報表示処理の手順を説明するフローチャート
【図６】医用画像表示システム２が実行するヒストリ表生成処理の手順を説明するフローチャート
【図７】検査予約情報を時系列表示するヒストリ表６３を含む診療情報表示画面６の一例
【図８】第２の実施の形態の診療情報表示システム１ａのシステム構成を示す図
【図９】第２の実施の形態における診療情報表示画面６ａの一例
【図１０】第２の実施の形態におけるコメント入力画面８４の一例
【図１１】第２の実施の形態の診療情報表示システム１ａにおけるデータの流れを示す図
【図１２】第２の実施の形態の医用画像表示システム２ａが実行する予約修正・コメント送信処理の手順を説明するフローチャート
【図１３】第２の実施の形態の医用画像表示システム２ａが実行する予約修正・コメント送信処理の手順を説明するフローチャート
【図１４】患者２人分のヒストリ表を配置した診療情報表示画面６ｂの一例（第３の実施の形態）
【図１５】第３の実施の形態における患者選択画面７０の一例
【図１６】複数患者のヒストリ表を配置した診療情報表示画面６ｃの一例（第３の実施の形態）
【図１７】第３の実施の形態における患者選択画面７０の一例
【図１８】検査室毎に検査予約情報を配置したヒストリ表を含む診療情報表示画面６ｄの一例（第４の実施の形態）
【図１９】第５の実施の形態の診療情報表示システム１ｅのシステム構成を示す図
【図２０】第５の実施の形態の診療情報表示システム１ｅにおけるデータの流れを示す図
【図２１】治療予約情報を時系列表示するヒストリ表６３ｅを含む診療情報表示画面６ｅの一例
【図２２】第６の実施の形態の診療情報表示システム１ｆのシステム構成を示す図
【図２３】第６の実施の形態の診療情報表示システム１ｆにおけるデータの流れを示す図
【図２４】第６の実施の形態の治療計画作成依頼処理の手順を説明するフローチャート
【発明を実施するための形態】
【００１１】
以下図面に基づいて、本発明の実施形態を詳細に説明する。
【００１２】
［第１の実施の形態］
まず、本発明の第１の実施の形態の診療情報表示システム１について説明する。
図１は、第１の実施の形態の診療情報表示システム１の装置構成及び医用画像表示システム２の機能構成を説明するブロック図である。
【００１３】
診療情報表示システム１は、被検体を撮影し、医用画像を生成する医用画像診断装置３と、医用画像診断装置３から医用画像を取得してモニタに表示する医用画像表示システム２と、医療に関する各種の情報システム４とがネットワーク５を介して通信接続される。ネットワーク５は、例えば、施設内の専用の通信回線で接続されたＬＡＮ（Ｌｏｃａｌ  Ａｒｅａ  Ｎｅｔｗｏｒｋ）や、より広域に通信接続されたＷＡＮ（Ｗｉｄｅ  Ａｒｅａ  Ｎｅｔｗｏｒｋ）、またはインターネット等の公衆の通信回線を含む。ネットワーク５における通信接続は有線、無線を問わない。医用画像診断装置３、医用画像表示システム２、及び情報システム４は、ネットワーク５を介して互いにデータを送受信する。
【００１４】
医用画像表示システム２は、医用画像診断装置３により撮影され、生成された医用画像データを取得して表示装置に表示するための装置である。医用画像表示システム２は、例えば、ＰＡＣＳ（Picture  Archiving  and  Communication  Systems）、画像ビューア、画像サーバ、画像診断ワークステーション等のいずれの形態でもよい。例えばＰＡＣＳであれば、医用画像表示システム２は、サーバ装置と複数の診断用クライアント端末とが通信接続された装置構成となるが、この形態に限定されない。医用画像表示システム２の他の例としては、画像を受信する機能と画像読影機能とを一端末に搭載した、例えば受信機能付き読影装置等もある。
【００１５】
医用画像表示システム２は、インターフェイス部２１と、データ取得部２２と、表示制御部２３と、表示装置２４と、データベース（記憶部）２５とを有する。
【００１６】
インターフェイス部２１は、ネットワーク５を介して１または複数の医用画像診断装置３、及び１または複数の医療に関する情報システム４と通信接続するための各種の通信インターフェイス及び通信制御部を含む。
【００１７】
データ取得部２２は、通信接続されている医用画像診断装置３にて作成された医用画像を取得する。また、通信接続されている各種情報システム４から各患者についての過去に実施された診療情報及び今後予定されている診療情報を取得する。本明細書において「診療情報」とは、検査または治療に関する各種の情報を含むものとする。例えば、検査や治療の日時、実施の有無、検査識別情報、モダリティ識別情報、読影情報、担当医の情報、画像情報、その他の関連情報（電子カルテ情報、会計情報、依頼情報等）を含む情報を含むものである。特に、第１の実施の形態では、医用画像診断装置３を使用した検査の履歴情報（過去の情報）や予約情報（今後の情報）に関する情報を診療情報の一例として説明する。検査の履歴情報や予約情報を含めて「検査予約情報」と呼ぶ。
【００１８】
データベース２５は、データ取得部２２により各種の医用画像診断装置３から取得した医用画像２５１と各種の情報システム４から収集した検査予約情報２５２（診療情報）を永続的に保管する記憶装置である（図３参照）。また、患者の氏名、年齢、住所等の患者情報２５３や、後述するヒストリ表（図７参照）に必要なアイコンデータ２５４や表枠データ等が記憶されている。
【００１９】
なお、データベース２５は医用画像表示システム２のサーバ装置内の記憶装置としてもよいし、サーバ装置と通信接続された記憶装置としてもよい。また、医用画像診断装置３及び医用画像表示システム２と同一施設内に配置されることを主な利用形態とするが、必ずしも同一施設内に配置されていなくてもよい。例えば、クラウドコンピューティングと呼ばれる仕組みを利用し、医用画像診断装置３、各情報システム４、及び医用画像表示システム２からインターネット等を介してアクセス可能な記憶装置を含むものとしてもよい。
【００２０】
表示制御部２３は、データベース２５に記憶されている検査予約情報２５２を時系列に整列させて表示装置２４に表示する処理を実行する。上述したように、検査予約情報は、各種の情報システム４や医用画像診断装置３から収集した過去の検査に関する履歴情報と今後の検査に関する予約情報とを含むものである。表示制御部２３は、各種の情報システム４から収集した検査や治療に関する過去の履歴情報と今後の予約情報とを時系列に整列させて表示装置２４に表示する。
表示制御部２３における表示制御動作の詳細については後述する。
【００２１】
表示装置２４は、表示制御部２３から出力される表示データを表示する。表示装置２４は、医用画像表示システム２のサーバ装置（インターフェイス部２１、データ取得部２２、表示制御部２３等を含む）側に設けられてもよいし、サーバ装置に通信接続された１または複数のクライアント端末に設けられてもよい。
【００２２】
図２に医用画像表示システム２のサーバ装置やクライアント端末として利用されるコンピュータの内部構成を示す。
図２に示すように、コンピュータは、制御部１０１、記憶部１０２、入力部１０３、表示部１０４、メディア入出力部１０５、通信Ｉ／Ｆ１０６、周辺機器Ｉ／Ｆ１０７等が、バス１０９を介して接続される。但し、図２の例は一般的な例であり、用途、目的に応じて様々な構成を採ることが可能である。
【００２３】
制御部１０１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部１０２、ＲＯＭ、記録媒体等に格納されるプログラムをＲＡＭ上のワークメモリ領域に呼び出して実行し、バス１０９を介して接続された各装置を駆動制御する。ＲＯＭは、不揮発性メモリであり、コンピュータのブートプログラムやＢＩＯＳ等のプログラム、データ等を恒久的に保持している。ＲＡＭは、揮発性メモリであり、記憶部１０２、ＲＯＭ、記録媒体等からロードしたプログラム、データ等を一時的に保持するとともに、制御部１０１が各種処理を行う為に使用するワークメモリ領域を備える。
【００２４】
記憶部１０２は、例えばＨＤＤ（ハードディスクドライブ）であり、制御部１０１が実行するプログラム、プログラム実行に必要なデータ等が格納される。プログラムに関しては、ＯＳに相当する制御プログラムや、後述の各処理に相当する各アプリケーションプログラムが格納されている。これらの各プログラムコードは、制御部１０１により必要に応じて読み出されてＲＡＭに移され、ＣＰＵに読み出されて各種の手段として実行される。
【００２５】
入力部１０３は、データの入力を行い、例えば、キーボード、マウス等のポインティングデバイス、テンキー等の入力装置を有する。
表示部１０４は、ＣＲＴモニタ、液晶パネル等のディスプレイ装置、ディスプレイ装置と連携してコンピュータのビデオ機能を実現するための論理回路等（ビデオアダプタ等）を有する。
【００２６】
メディア入出力部１０５は、例えば、フロッピー（登録商標）ディスクドライブ、ＰＤドライブ、ＣＤドライブ、ＤＶＤドライブ、ＭＯドライブ等のメディア入出力装置であり、データの入出力を行う。
通信Ｉ／Ｆ（インターフェース）１０６は、通信制御装置、通信ポート等を有し、ネットワーク５の通信を媒介する通信インターフェースである。
【００２７】
周辺機器Ｉ／Ｆ１０７は、コンピュータに周辺機器を接続させるためのポートである。
バス１０９は、各装置間の制御信号、データ信号等の授受を媒介する経路である。
【００２８】
医用画像診断装置３は、医療施設内に設置され、患者を撮影（計測）し、医用画像を生成するための検査装置である。例えば、Ｘ線診断装置、Ｘ線ＣＴ装置等のＸ線装置、ＭＲ装置、超音波診断装置、ＰＥＴ（Ｐｏｓｉｔｒｏｎ  Ｅｍｉｓｓｉｏｎ  Ｔｏｍｏｇｒａｐｈｙ）装置、ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置等の核医学装置等を含む。
【００２９】
医用画像診断装置３は、作成した医用画像データを医用画像表示システム２に送信する。医用画像表示システム２は受信した医用画像データをデータベース２５に記憶する。
なお、医用画像データには、患者の識別情報（患者ＩＤ）や、撮影した医用画像診断装置３の識別情報（モダリティＩＤ）、検査の識別情報（検査ＩＤ）、画像の識別情報（画像ＩＤ）、検査日時情報等が付帯情報として付加されている。
【００３０】
また、各医用画像診断装置３が医用画像表示システム２に対して医用画像データを送信するタイミングは任意に設定可能である。例えば、医用画像診断装置３にて医用画像を作成する都度、送信してもよいし、定期的にまとめて医用画像データを送信してもよいし、医用画像表示システム２からデータ取得要求を受信したタイミングで医用画像データの送信を行うものとしてもよい。
【００３１】
情報システム４は、放射線情報システム（ＲＩＳ）４１、電子カルテシステム４２、病院情報システム（ＨＩＳ）４３、医事会計システム４４、オーダリングシステム４５、健診システム４６、その他の各種の医療に関する情報システムのうち少なくともいずれかを含む。
【００３２】
各情報システム４は、それぞれ取り扱う情報の内容は異なるが、検査、治療、診断、会計、オーダー等に関する各種の診療情報を保持している。また各情報システム４は患者情報を有する。例えば、放射線情報システム４１であれば、Ｘ線装置やＭＲ装置等の医用画像診断装置３の装置予約情報を保持している。装置予約情報とは、どの検査室（医用画像診断装置）をどの患者がいつ使用するかの情報や担当技師の情報等が含まれる。また例えば、電子カルテシステム４２では、各患者の電子カルテ（問診情報、所見、処方内容、検査や入院の経過情報等）を保持する。
【００３３】
各情報システム４は、上述したような各種の診療情報（第１の実施の形態では、特に、検査予約情報（検査に関する履歴、予約情報））を医用画像表示システム２に送信する。医用画像表示システム２は受信した検査予約情報をデータベース２５に記憶する。
【００３４】
なお、各情報システム４が医用画像表示システム２に対して検査予約情報を送信するタイミングは任意に設定可能である。例えば、定期的に情報の送信を行うものとしてもよいし、新規に検査予約情報が登録された際に送信してもよいし、医用画像表示システム２からデータ受信要求を受信したタイミングで送信してもよい。
【００３５】
次に、図３を参照して、診療情報表示システム１におけるデータの流れを説明する。
図３に示すように、医用画像表示システム２には各種情報システム４から検査等の履歴情報及び予約情報（検査予約情報）がインターフェイス部２１を介して入力される。また各医用画像診断装置３から医用画像データがインターフェイス部２１を介して入力される。入力された医用画像２５１及び検査予約情報２５２はデータベース２５に記憶される。
【００３６】
データベース２５の検査予約情報２５２は、例えば図４に示すように、１検査につき１レコードの形式で順次登録される。各レコードには、少なくとも患者ＩＤ２５２ａ、検査ＩＤ２５２ｂ、モダリティＩＤ２５２ｃ、画像ＩＤ２５２ｄ、検査日時２５２ｅ、検査済みフラグ２５２ｆ等の項目が含まれるものとする。また、その他の関連情報２５２ｇと紐づけられるようにしてもよい。例えば電子カルテやその他の情報システム４から得られる情報と関連付けられるようにしてもよい。
【００３７】
医用画像表示システム２の入力装置２６（図２に示すコンピュータの入力部１０３）から選択患者の診療情報表示指示が入力されると、データ取得部２２（図２に示すコンピュータの制御部１０１）は、その患者についての検査予約情報のデータ取得要求をデータベース２５に対して送信する。データ取得部２２はデータベース２５から該当患者についての検査予約情報を取得する。このとき、ヒストリ表を作成するのに必要な表枠データやアイコンのデータ２５４等もデータベース２５或いはデータベース２５とは別の記憶部から取得するようにしてもよい。
【００３８】
表示制御部２３（図２に示すコンピュータの制御部１０１）は、現在（本日）を基準として過去から未来を含む所定の日時範囲のヒストリ表を作成する。ヒストリ表とは、１軸を時間軸とし、検査や治療の日時に対応する位置に、それらの情報を示すアイコンや文字列を配置した表である。表示制御部２３は、まず、ヒストリ表の表枠を生成し、表枠内の該当する日時位置に受信した検査予約情報を示すアイコンや文字列を配置するためのレイアウトデータを生成する。表示制御部２３により生成されたヒストリ表のレイアウトデータは、操作者により診療情報表示指示が入力された端末の表示装置２４に送られて表示される。
【００３９】
また、医用画像表示システム２の入力装置２６からヒストリ表内に配置されたいずれかのアイコンの選択指示が入力されると、選択されたアイコンに該当する検査に関するデータの取得要求がデータ取得部２２からデータベース２５に送られる。データベース２５からデータ取得部２２に対して医用画像や詳細情報等の応答が送信され、表示制御部２３に送られる。表示制御部２３は、受信した医用画像や詳細情報を要求元の端末の表示装置２４に送る。
【００４０】
次に、図５〜図７を参照しながら、第１の実施の形態の診療情報表示システム１の動作について説明する。
図５は、医用画像表示システム２が実行する診療情報表示処理の流れを説明するフローチャートである。医用画像表示システム２のサーバ装置に該当するコンピュータは診療情報表示処理の各ステップを実行するためのプログラムを記憶部１０２等に保持している。コンピュータの制御部１０１は、このプログラムに従って診療情報表示処理を実行する。
【００４１】
医用画像表示システム２のサーバ装置の制御部１０１（以下、制御部１０１という）は、各種の情報の受信や指示の入力を待機している。
医用画像表示システム２のサーバ装置が情報システム４から検査予約情報を受信すると（ステップＳ１０１；Ｙｅｓ）、制御部１０１は、受信した検査予約情報をデータベース２５に登録する（ステップＳ１０２）。
【００４２】
医用画像診断装置３において検査が実施され、医用画像データ（検査画像）を受信すると（ステップＳ１０３；Ｙｅｓ）、制御部１０１は受信した医用画像２５１をデータベース２５に保存する（ステップＳ１０４）。
【００４３】
このとき制御部１０１は、受信した医用画像データ２５１に対応する検査予約情報２５２がデータベース２５に既に登録されているか否かを判定する（ステップＳ１０５）。判定は、医用画像データの付帯情報として付加されている患者ＩＤ、検査ＩＤ等を参照して行うことができる。受信した医用画像データに対応する検査予約情報２５２がデータベース２５に記憶されている場合は（ステップＳ１０５；Ｙｅｓ）、制御部１０１は、データベース２５の検査予約情報２５２の該当するレコードに検査済みフラグ２５２ｆを付与する（ステップＳ１０６）。一方、受信した医用画像データ２５１に対応する検査予約情報２５２がデータベース２５に記憶されていない場合は（ステップＳ１０５；Ｎｏ）、制御部１０１はデータベース２５の検査予約情報２５２の新規レコードとして、受信した検査予約情報を追加登録する（ステップＳ１０７）。登録する内容は、医用画像データの付帯情報（患者ＩＤ、検査ＩＤ、検査日時、モダリティＩＤ、画像ＩＤ等が含まれる）から取得可能である。また検査済みであるので、検査済みフラグ２５２ｆを付与する。
【００４４】
入力装置２６から診療情報表示指示が入力されると（ステップＳ１０８；Ｙｅｓ）、制御部１０１（表示制御部２３）は表示装置２４に患者の一覧を選択可能に表示した患者選択画面あるいは患者検索画面等を表示して、患者の選択を受け付ける。患者が選択されると（ステップＳ１０９）、制御部１０１（データ取得部２２）は選択された患者の検査予約情報をデータベース２５から取得する（ステップＳ１１０）。そして、制御部１０１（表示制御部２３）は、取得した検査予約情報に基づいて、図７に示すようなヒストリ表６３を作成する（ステップＳ１１１）。制御部１０１（表示制御部２３）は、ヒストリ表６３を含む診療情報表示画面６を表示装置２４に表示する（ステップＳ１１２）。
【００４５】
図６は、ヒストリ表生成処理の手順を説明するフローチャートである。
まず、制御部１０１（表示制御部２３）は、本日の日付を含む過去及び未来の所定期間を時間軸に配置したヒストリ表６３の表枠を生成する（ステップＳ２０１）。ヒストリ表６３に表示する期間はユーザが設定した期間としてもよいし、検査の頻度や通院歴に応じて決定してもよい。
【００４６】
図７は、診療情報表示画面６の一例である。
診療情報表示画面６は、大きく分けて、検査予約情報及び詳細情報を表示する第１画面６１と、観察用の医用画像や医用画像の詳細情報や患者情報等を表示する第２画面６２と有する。
第１画面６１には、ヒストリ表６３及びシェアウィンドウ６４が設けられる。
【００４７】
ヒストリ表６３は、図７の例では横軸を時間軸としているが、縦軸を時間軸としてもよい。また、ヒストリ表６３に表示する期間を、２０１０（年）から２０１２（年）までの２年間としているが、期間の長さは２年に限定されない。現在日付（診療情報表示指示が入力された日時）を基準として過去と未来とを含む期間であれば、より長期間としてもよいし短期間としてもよい。また、ヒストリ表６３の本日の日付に該当する位置に本日線６５を表示するようにすれば、表内の現在位置を瞬時に確認しやすくなる。また、ヒストリ表６３には検査の種類毎に欄（行）を形成することが望ましい。例えば、該当患者の検査予約情報にＣＴ検査とＭＲ検査が含まれる場合は、図７に示すように、少なくとも、ＣＴ検査の検査履歴及び予約を配置する欄と、ＭＲ検査の検査履歴及び予約を配置する欄とを形成する。
【００４８】
制御部１０１（表示制御部２３）は、データベース２５から取得した患者の検査予約情報の検査済みフラグ２５２ｆを参照して、各検査予約情報が検査済みであるか否かを判定する（ステップＳ２０２）。検査が未実施であれば（ステップＳ２０２；Ｎｏ）、その検査予約情報について、検査予約（未実施の検査）を示すアイコンをヒストリ表６３内の該当する日付位置であって該当する検査種別の位置に配置する（ステップＳ２０３）。図７の例では、星印７３が検査予約を示すアイコンである。
【００４９】
検査実施済みの検査予約情報については（ステップＳ２０２；Ｙｅｓ）、その検査予約情報について、画像を取得済みであるか否かを判定し（ステップＳ２０４）、画像取得済みである場合は（ステップＳ２０４；Ｙｅｓ）、取得した画像のサムネイル画像をアイコンとして、ヒストリ表６３内の該当する日付位置であって該当する検査種別の欄に配置する（ステップＳ２０５）。図７の例では、アイコン７１，７２が検査済みの状態を示すサムネイル画像である。
【００５０】
検査済みであるが検査画像を未取得の検査予約情報については（ステップＳ２０２；Ｙｅｓ→ステップＳ２０４；Ｎｏ）、検査の内容を示すアイコンをヒストリ表６３内の該当する日付位置であって該当する検査種別の位置に配置する（ステップＳ２０６）。検査の内容を示すアイコンとは、ＣＴ検査、ＭＲ検査等の検査種別を文字やイラストで示したＧＵＩ（Ｇｒａｐｈｉｃａｌ  Ｕｓｅｒ  Ｉｎｔｅｒｆａｃｅ）等のことである。
【００５１】
以上のようにしてヒストリ表６３を生成すると、制御部１０１（表示制御部２３）は、ヒストリ表６３を含む診療情報表示画面６のレイアウトデータを表示装置２４に送り、診療情報表示画面６を表示させる（図５のステップＳ１１２）。この段階では、シェアウィンドウ６４には選択された検査アイコンに対応する検査の検査画像が表示される。シェアウィンドウ６４には、ヒストリ表６３に表示されている実施済み検査の画像７４、７５が表示される。また、未実施の検査（予約）の詳細情報（例えば、予定表、検査予定日時、検査種別、検査室、モダリティ予約情報、主治医、担当技師、その他の情報を含む）が表示される。第２画面６２には、何も表示しなくてもよい。
【００５２】
入力装置２６からヒストリ表６３内のいずれかのアイコンやサムネイル画像が選択されると（ステップＳ１１３；Ｙｅｓ）、制御部１０１（データ取得部２２）は、選択されたアイコンやサムネイル画像に対応する医用画像や詳細情報の取得要求をデータベース２５に送信し、データ取得部２２によりデータベース２５から医用画像や詳細情報を取得する（ステップＳ１１４）。制御部１０１（表示制御部２３）は、診療情報表示画面６の第２画面６２やシェアウィンドウ６４内に、取得した検査画像７４、７５や、検査の詳細情報７６を表示する（ステップＳ１１５；図７参照）。
【００５３】
以上説明したように、第１の実施の形態の診療情報表示システム１によれば、医用画像表示システム２は、各種の情報システム４から検査や治療に関する過去及び未来の検査予約情報を取得してデータベース２５に記憶する。そして、ある患者についての過去の検査の履歴情報と今後の検査の予約情報とを、同一画面内に時系列に配置して表示する。そのため、操作者（読影医等）は、過去の検査履歴と未来の予約情報とを、同一画面上で同一の時間軸で確認できるため、検査スケジュールの妥当性を容易に確認できる。また、検査の過不足を回避しやすくなる。
【００５４】
また、各検査予約情報は、時間軸を有するヒストリ表内に、アイコン、サムネイル画像、または文字列等の形式で対応する日時位置に検査種別毎に配置されるため、一見して検査の状況を把握できる。特に、検査済みの検査履歴情報と未検査の検査予約情報とを異なるアイコンで表示するため、検査の状況を把握しやすい。また検査画像を取得したものについては、検査画像のサムネイル画像をアイコンとして表示するため、画像取得状況も画像の内容も俯瞰しやすいものとなる。
【００５５】
また、ヒストリ表６３内のアイコンを選択することで、そのアイコンに該当する検査の検査画像や詳細情報を表示することもできるため、必要な情報へのアクセスが円滑かつ容易となる。
【００５６】
［第２の実施の形態］
次に、図８〜図１３を参照して本発明の第２の実施の形態について説明する。
第２の実施の形態の診療情報表示システム１ａは、第１の実施の形態の診療情報表示システム１に加え、医用画像表示システム２ａに予約修正・コメント送信部２７を備える。
なお、第２の実施の形態の診療情報表示システム１ａの装置構成は、図１に示す第１の実施の形態の装置構成と同様である。以下の説明では、第１の実施の形態において説明した各構成要素と同一のものには同一の符号を付し、重複する説明を省略する。
【００５７】
予約修正・コメント送信部２７とは、ヒストリ表６３に表示されている各検査予約情報を、その同じ画面上で修正（変更またはキャンセル）したり、コメントを送信したりする機能部である。
【００５８】
図９は、第２の実施の形態の診療情報表示画面６ａの一例である。
診療情報表示画面６ａには、予約キャンセルボタン８１、予約変更ボタン８２、コメントボタン８３が設けられる。
予約キャンセルボタン８１は、選択されたアイコン７３ａに対応する検査予約のキャンセルを指示する際に操作されるボタンである。
予約変更ボタン８２は、選択されたアイコン７３ａに対応する検査予約の変更を指示する際に操作されるボタンである。検査予約の変更とは、例えば、検査日程や検査室や検査に使用する医用画像診断装置３等の変更である。
コメントボタン８３は、コメント入力画面８４へ遷移するためのボタンである。コメント入力画面８４は診療情報表示画面６ａを参照する技師等が、主治医に検査方針の見直しや検査予約の追加等を相談する際に、その旨のコメントを入力するための入力フォームである。操作者によりヒストリ表６３内の予約アイコン７３が選択された状態でコメントボタン８３が押下されると、コメント入力画面８４に遷移する。
【００５９】
図１０は、コメント入力画面８４の一例である。コメント入力画面８４には、コメントを入力する入力欄８５と送信ボタン８６が設けられる。コメント入力画面８４の入力欄８５にコメントが入力され、送信ボタン８６が押下されると、選択されている予約アイコン７３ａに対応する検査予約情報から検査予約を行った医師の連絡先のメールアドレスに対してコメント内容がメール送信される。
【００６０】
なお、コメントボタン８３に代えて、コメントの入力欄８５が診療情報表示画面６ａ内に設けられてもよい。
【００６１】
また、診療情報表示画面６に予約を追加するためのボタンを設けていない。これは、この種の医用画像表示システム２ａは読影医や技師等による使用を想定しており、検査日程を決定する主治医は別のシステムの端末で診察や検査予約を行うという使用状況を想定しているからである。したがって、技師や読影医が検査予約の追加を直接行うような業務フローを想定しないため、本第２の実施の形態では、検査予約を直接扱う操作部を設けず、主治医や関連システムへのコメント送信機能のみを追加するにとどめている。
【００６２】
図１１は、第２の実施の形態の診療情報表示システム１ａにおけるデータの流れを説明する図である。
医用画像表示システム２ａの入力装置２６から図９に示す診療情報表示画面６ａにてヒストリ表６３内の予約アイコン７３ａが選択され、予約キャンセルボタン８１が操作されると、表示制御部２３は、選択されたアイコンに対応する検査予約情報の識別情報（例えば、検査ＩＤ、患者ＩＤ）とともに予約キャンセル指示データを予約修正・コメント送信部２７に送る。予約修正・コメント送信部２７は、選択された検査アイコン７３ａに対応する検査予約情報に関連する１または複数の情報システム４及び医用画像診断装置３に対して、インターフェイス部２１を介して検査予約の削除指示を送る。例えば、ＣＴ検査の予約キャンセルが指示されている場合は、放射線情報システム４１及び電子カルテシステム４２等のＣＴ検査の予約情報を含む情報を扱う情報システムと、使用予定のＸ線ＣＴ装置に検査予約の削除指示を送る。また、データベース２５に対して選択された予約アイコン７３ａに対応する検査予約の削除指示を送る。
【００６３】
診療情報表示画面６ａにてヒストリ表６３内の予約アイコン７３ａが選択され、予約変更ボタン８２が操作され、シェアウィンドウ６４内の詳細情報７６の内容が修正されると、表示制御部２３から選択アイコン７３ａの指示データ（検査ＩＤ、患者ＩＤ）とともに修正内容のデータが予約修正・コメント送信部２７に送られる。予約修正・コメント送信部２７は、データベース２５に対して選択されたアイコン７３ａに対応する検査予約の変更指示及び修正内容を送る。また、インターフェイス部２１を介して関連する１または複数の情報システム４に対して、選択されたアイコンに対応する検査予約の変更指示及び修正内容を送る。例えば、ＣＴ検査に使用するモダリティ（医用画像診断装置）の変更が指示されている場合は、放射線情報システム４１等に検査予約に使用する機器の変更指示を送る。
【００６４】
診療情報表示画面６ａにてヒストリ表６３内の予約アイコン７３ａが選択され、コメントボタン８３が操作され、コメント入力画面８４の入力欄８５に操作者によりコメントが入力されて送信ボタン８６が押下されると、予約修正・コメント送信部２７はデータベース２５から選択されたアイコン７３ａに対応する検査予約情報を取得する。データベース２５は予約修正・コメント送信部２７に対し、要求された検査予約情報を送信する。予約修正・コメント送信部２７は、データベース２５から受信した検査予約情報に含まれる検査予約医師（主治医）の連絡先（例えば、医師のＰＣ４８のメールアドレス）を抽出する。そして、その連絡先メールアドレス宛にコメントデータを送信する。
【００６５】
次に、図１２〜図１３を参照しながら、第２の実施の形態の検査予約情報表示システム１の動作について説明する。
図１２、図１３は、医用画像表示システム２ａが実行する予約修正・コメント送信処理の流れを説明するフローチャートである。医用画像表示システム２のサーバ装置に該当するコンピュータは予約修正・コメント送信処理の各ステップを実行するためのプログラムを記憶部１０２等に保持している。コンピュータの制御部１０１は、このプログラムに従って予約修正・コメント送信処理を実行する。
【００６６】
図１２〜図１３の予約修正・コメント送信処理は、図９に例示した第２の実施の形態の診療情報表示画面６ａが表示された状態で行われる。なお、診療情報表示画面６ａ内のヒストリ表６３やシェアウィンドウ６４内の表示内容は図５の診療情報表示処理と同様の処理で作成されている。
【００６７】
医用画像表示システム２ａのサーバ装置の制御部１０１（以下、制御部１０１という）は、診療情報表示画面６ａに設けられたボタン８１、８２、８３やヒストリ表６３内のアイコンに対する選択操作の入力を待機している。
ヒストリ表６３内の検査予約を示すアイコン７３が選択されると（ステップＳ３０１；Ｙｅｓ）、制御部１０１（表示制御部２３）は、選択されたアイコン７３の表示を選択状態に変更する（ステップＳ３０２）。例えば、アイコンの色を変更する。その状態で、予約キャンセルボタン８１がクリックされると（ステップＳ３０３；Ｙｅｓ）、制御部１０１（予約修正・コメント送信部２７）は、選択された検査予約アイコン６３ａが示す検査予約情報に基づいて、当該予約に関連する医用画像診断装置３や情報システム４を指定し、予約キャンセルを通知する（ステップＳ３０４）。また、制御部１０１（予約修正・コメント送信部２７）は、データベース２５に保存されている検査予約情報２５２のうち、選択された検査予約アイコン７３ａに対応する検査予約情報を削除する（ステップＳ３０５）。その後、制御部１０１（表示制御部２３）は、情報システム４、医用画像診断装置３から検査予約情報がキャンセルされた旨の応答を受け取ると、ヒストリ表６３からキャンセルされた検査予約を示すアイコンを消去する（ステップＳ３０６）。
【００６８】
予約変更アイコン７３が選択された状態で、予約変更ボタン８２がクリックされると（ステップＳ３０７；Ｙｅｓ）、制御部１０１（表示制御部２３）は、シェアウィンドウ６４内の選択されたアイコン７３ａに対応する詳細情報７６を編集可能な状態としたり、選択されたアイコン７３ａの位置を変更（日付変更）可能な状態にする。そして、詳細情報７６の内容や選択アイコン７３ａの位置が修正されると（ステップＳ３０８）、制御部１０１（予約修正・コメント送信部２７）は、選択アイコン７３ａに対応する検査予約情報から該当する医用画像診断装置３や情報システム４を特定し、予約の変更内容を通知する（ステップＳ３０９）。
【００６９】
また、制御部１０１は、データベース２５に保存されている検査予約情報２５２のうち、選択されたアイコン７３ａに対応する検査予約情報を削除する（ステップＳ３１０）。その後、制御部１０１は、ヒストリ表６３やシェアウィンドウの内容を変更された内容に更新する（ステップＳ３０６）。
【００７０】
予約変更アイコン７３が選択された状態で、コメントボタン８２がクリックされると（図１３のステップＳ３１１；Ｙｅｓ）、制御部１０１（表示制御部２３）は、コメント入力画面８４を表示する（ステップＳ３１２）。コメント入力画面８４の入力欄８５にコメントが入力され（ステップＳ３１３）、送信ボタン８６が操作されると（ステップＳ３１４；Ｙｅｓ）、制御部１０１（予約修正・コメント送信部２７）は、選択されたアイコン７３ａに対応する検査予約情報をデータベース２５から取得する（ステップＳ３１５）。制御部１０１（予約修正・コメント送信部２７）は取得した検査予約情報に含まれる検査予約医師の連絡先宛てに入力コメントを送信する（ステップＳ３１６）。
【００７１】
以上説明したように、第２の実施の形態では、過去及び今後の検査予約情報を時系列に示すヒストリ表６３を表示する診療情報表示画面６ａ内に、検査予約情報をキャンセルしたり、変更したり、或いはコメントを送信するための操作部を設ける。これにおり、過去及び今後の検査予約情報を確認しながら、検査予約情報の修正（キャンセルや変更）を行ったり、主治医等にコメントを送信したりできるようになる。したがって、予約の修正やコメント送信のために別画面を起動する必要がなく、作業手順が簡略となる。また操作者とは別に患者の主治医等がいる場合に検査予約についてのコメントを簡単に通知できるため、複数人のグループで患者を受け持つ場合や複数のシステムが連携している場合等に複雑な連絡過程が自動化され、作業効率が向上する。
【００７２】
［第３の実施の形態］
次に、図１４〜図１８を参照して本発明の第３の実施の形態について説明する。
本発明の第３の実施の形態は、第１の実施の形態と比較して、ヒストリ表の表示の仕方が異なる。
【００７３】
なお、第３の実施の形態の診療情報表示システム１の装置構成及び機能構成は、図１に示す第１の実施の形態の装置構成及び機能構成と同様である。以下の説明では、第１の実施の形態において説明した各構成要素と同一のものには同一の符号を付し、重複する説明を省略する。
【００７４】
図１４は第３の実施の形態における診療情報表示画面６ｂの例である。
第３の実施の形態では、医用画像表示システム２は、２人の患者についてのヒストリ表６３Ａ、６３Ｂを上下２段に並べて表示する。上下の各ヒストリ表６３Ａ，６３Ｂの時間軸は同一とする。各ヒストリ表６３Ａ、６３Ｂがどの患者の検査予約情報であるかを識別できるように、各ヒストリ表６３Ａ、６３Ｂの近傍にそれぞれ患者情報６６Ａ、６６Ｂを表示する。
【００７５】
ヒストリ表６３Ａ、６３Ｂ及び患者情報６６Ａ、６６Ｂの表示以外の表示内容（例えば、シェアウィンドウ６４等）については、第１の実施の形態または第２の実施の形態と同様である。
【００７６】
なお、図１４に示すヒストリ表６３Ａ、６３Ｂには、「治療」欄が含まれているが、「治療」欄には放射線治療の履歴または予定が表示される。治療の履歴及び予定は検査予約情報２５２と同様にデータベース２５に記憶されている。また、黒い星印のアイコンは実施済みの検査または治療、白抜きの星印は未実施の検査または治療を意味する。
【００７７】
診療情報表示画面６ｂを表示する処理は、図５のフローチャートに示す第１の実施の形態における手順と同様である。ただし、第３の実施の形態では、医用画像表示システム２は、患者選択画面にて患者の選択を受け付ける際（図５のステップＳ１０９）、２人の患者の選択を許可する。
【００７８】
制御部１０１（表示制御部２３）は、例えば、図１５に示す患者選択画面７０を表示装置２４に表示する。患者選択画面７０には複数の患者が一覧表示される。また、各患者を選択／非選択とするチェックボックス７０ａが設けられる。チェックボックス７０ａにチェックが入力されると、その患者が選択状態となる。
【００７９】
患者選択画面７０にて２人の患者が選択され、ヒストリ比較表示ボタン７０ｃがクリックされると、制御部１０１（データ取得部２２）は選択された２人の患者の検査予約情報をデータベース２５から取得する。制御部１０１（表示制御２３）は、取得した検査予約情報に基づいてそれぞれヒストリ表６３Ａ、６３Ｂを作成する。制御部１０１（表示制御部２３）は、ヒストリ表６３Ａ、６３Ｂを診療情報表示画面６の上下２段に配置したレイアウトデータを作成する。また、各ヒストリ表６３Ａ、６３Ｂにそれぞれ患者情報６６Ａ、６６Ｂを配置する。
【００８０】
制御部１０１（表示制御部２３）は、各ヒストリ表６３Ａ、６３Ｂの時間軸が同一となるようにヒストリ表を作成し、配置する。これにより、各患者の検査履歴及び検査予定を比較しやすくなる。
【００８１】
制御部１０１（表示制御部２３）は、作成したレイアウトデータを、診療情報表示指示を入力したクライアント端末に送信し、表示装置２４に診療情報表示画面６ｂを表示させる。
【００８２】
以上説明したように、第３の実施の形態の医用画像表示システム２は、２人の患者についてのヒストリ表６３Ａ、６３Ｂを同一時間軸で並べて同一画面内に表示する。例えば、上段に経過観察中の患者のヒストリ表を配置し、下段に類似症例患者のヒストリ表を配置する。これにより、各患者の履歴及び予定を比較しやすくなる。経過観察中の患者の検査計画が妥当なものであるかを判断する際に使用する等、検査業務を支援できる。
【００８３】
なお、上述の例は、２人分のヒストリ表を並べて表示するものとしたが、図１６に示すように３人以上の患者の各ヒストリ表６３Ａ、６３Ｂ、６３Ｃ、…を並べて表示するようにしてもよい。
【００８４】
図１６に示す診療情報表示画面６ｃには、スクロールバー６７が設けられる。スクロールバー６７を操作することで診療情報表示画面６ｃのヒストリ表をスクロール表示できるようになっている。これにより、より多くのヒストリ表を配置できるようになっている。
図１６の例では、３人の患者の各ヒストリ表６３Ａ、６３Ｂ、６３Ｃが配置されているが、スクロールバー６７が操作されると、他の患者のヒストリ表が画面に表示される。各ヒストリ表の近傍には、患者情報６６Ａ、６６Ｂ、６６Ｃがそれぞれ配置される。
【００８５】
図１７に示すように、患者選択画面７０にて複数の患者のチェックボックス７０ａにチェックが入力され、ヒストリ一覧表示ボタン７０ｄが押下された場合に、医用画像表示システム２は、選択された複数の患者のヒストリ表６３Ａ、６３Ｂ、６３Ｃ、…を同一の時間軸で作成し、並べて配置する。
【００８６】
なお、ヒストリ表作成対象とする患者は、操作者による選択によらず、医用画像表示システム２の制御部１０１が選択してもよい。例えば、制御部１０１は、データベース２５の検査予約情報２５２を参照し、未来の予定や予約情報を持つ患者を抽出して、抽出患者のヒストリ表を同一時間軸で作成し、並べて表示するようにしてもよい。未来の予定や予約情報を持つ患者のヒストリ表が同一時間軸で一覧表示されるので、未来の検査の混み具合や装置の混み具合等を医用画像表示システム２で確認できる。よって診療所やクリニック等の小規模な施設では、簡易なＲＩＳの代替として利用することができる。
【００８７】
また、対象患者の症例と類似する症例の患者を抽出してもよい。類似する症例の患者のヒストリ表と比較することにより、対象患者の検査予定の妥当性を判断しやすくなる。
【００８８】
［第４の実施の形態］
次に、図１８を参照して本発明の第４の実施の形態について説明する。
第４の実施の形態の診療情報表示システム１は、第１の実施の形態の機能構成に加え、検像システムの機能を有する。
【００８９】
検像システムとは、医用画像診断装置３で撮影された画像に対して付加された画像付帯情報を修正する機能を有するシステムである。ここでいう画像付帯情報とは、例えばＤＩＣＯＭタグやシリーズ画像の並び順に関する情報である。検像システムを用いて画像付帯情報を修正することで、医用画像表示システム２が稼働する施設の運用方法に合わせて画像を管理可能となる。
【００９０】
第４の実施の形態では、第１の実施の形態の診療情報表示画面６と比較して、まず、ヒストリ表６３ｄの表示の仕方が異なる。また、画像付帯情報を編集可能に表示する点が異なる。
【００９１】
なお、第４の実施の形態の診療情報表示システム１の装置構成及び機能構成は、図１に示す第１の実施の形態の装置構成と同様である。以下の説明では、第１の実施の形態において説明した各構成要素と同一のものには同一の符号を付し、重複する説明を省略する。
【００９２】
図１８は、第４の実施の形態の診療情報表示画面６ｄの一例である。
第４の実施の形態の診療情報表示画面６ｄでは、ヒストリ表６３ｄに１または複数の検査室欄を設け、各検査室欄に全患者または一部の患者の検査予約情報（検査履歴及び検査予約）を示すアイコンを配置する。検査予約を示すアイコンは、ヒストリ表６３ｄ内の対応する日付位置であって該当する検査室の欄に配置される。
【００９３】
また、アイコンは、第１の実施の形態と同様に、検査済みでデータベース２５に検査画像が保管されているものであれば、その検査画像のサムネイル画像を使用する。検査済みであるがデータベース２５に検査画像が保管されてなければ、検査の内容を示すアイコン（例えば、黒抜き星印）を使用する。検査済みでなければ、検査予約（未検査）を示すアイコン（例えば、白抜き星印）を使用する。
【００９４】
第４の実施の形態の医用画像表示システム２において診療情報表示画面６ｄを表示する処理は、図５、図６のフローチャートに示す第１の実施の形態における手順と同様である。ただし、ヒストリ表６３ｄを作成する際に、患者毎のヒストリ表を作成するのではなく、検査室毎に欄を設ける。
【００９５】
また、動作手順については、図５のステップＳ１０９の患者を選択するステップに代えて、検査室（またはモダリティＩＤ）の指定を行う。また、ステップＳ１１０の選択された患者の検査予約情報をデータベース２５から取得する処理に代えて、選択された検査室（またはモダリティＩＤ）をキーとして該当する検査予約情報をデータベース２５から検索し、取得する。
【００９６】
また、医用画像表示システム２の制御部１０１（データ取得部２２、表示制御部２３）は、定期的にデータベース２５から検査予約情報を取得し、ヒストリ表６３ｄの表示内容を更新することが望ましい。
これにより、検査予約を示すアイコンの表示状態を検査の実施状況（検査済みであるか、未検査であるか）に応じてリアルタイムに切り替えることが可能となる。
【００９７】
また、第４の実施の形態では、診療情報表示画面６ｄに詳細情報表示エリア７８及びサムネイル画像表示エリア７９が設けられ、患者情報、検査情報等の詳細情報や画像付帯情報の編集や、画像の並び順の変更等の操作が可能となっている。
【００９８】
図１８の例では、診療情報表示画面６ｄの第２画面６２ｄに、選択中の検査についての詳細情報が表示される。なお、図１８では、詳細情報表示エリア７８に患者情報（ＩＤ、氏名、性別、生年月日、年齢）が表示される例を示しているが、患者情報のみならず、検査予約情報に関連付けられる各種の情報を表示可能である。例えば、検査予約情報の検査画像から画像付帯情報として付加されている様々なＤＩＣＯＭタグを抽出し、詳細情報表示エリア７８に表示してもよい。詳細情報表示エリア７８の表示内容は編集可能とする。操作者により表示内容が修正された場合は、制御部１０１（表示制御部２３）は修正内容に基づいてデータベース２３の該当する検査予約情報を更新する。
【００９９】
また、検査画像がＣＴ画像やＭＲ画像等のように複数の画像からなるシリーズ画像である場合は、図１８に示すようにサムネイル画像表示エリア７９にシリーズ画像に含まれる各画像を並べて表示してもよい。並べて表示されたサムネイル画像から選択された画像が画像表示エリア７７に拡大表示される。図１８では、Ｎｏ．１の画像が選択状態である。サムネイル画像表示エリア７９では、所定の操作により画像の並び順を逆順に変更可能である。
【０１００】
以上説明したように、第４の実施の形態の医用画像表示システム２は、データベース２５から検査室毎に検査予約情報を抽出して、ヒストリ表６３ｄに検査室毎に検査履歴または予約を示すアイコンを表示する。そのため、検査室の過去から未来にわたる使用状況及び予約状況を把握しやすくなる。また、検査や画像の詳細情報を修正可能に表示することにより、医用画像表示システム２において検像作業を行うことが可能となり、作業の効率を向上できる。
【０１０１】
［第５の実施の形態］
次に、図１９〜図２０を参照して本発明の第５の実施の形態について説明する。
第５の実施の形態では、放射線治療装置３８を使用した治療の履歴情報（過去の情報）や予約情報（今後の情報）に関する情報を「診療情報」の一例として説明する。治療の履歴情報や予約情報を含めて「治療計画情報」と呼ぶ。
【０１０２】
第５の実施の形態の診療情報表示システム１ｅは、医用画像を取得してモニタ（表示装置２４）に表示する医用画像表示システム２ｅと、放射線治療計画装置４９と、放射線治療装置３８とがネットワーク５を介して通信接続される。なお、図１９には示さないが、図１に示す医用画像診断装置３や各種情報システム４がネットワーク５を介して医用画像表示システム２ｅと接続されていてもよい。
【０１０３】
医用画像表示システム２ｅは第１の実施の形態と同様に、インターフェイス部２１と、データ取得部２２と、表示制御部２３と、表示装置２４と、データベース（記憶部）２５とを有する。第５の実施の形態の医用画像表示システム２ｅは、過去の治療結果及び今後の治療計画情報をヒストリ表内の該当する日時位置に配置する。
【０１０４】
放射線治療装置３８は、医療施設内に設置され、患者の患部に対して治療用放射線を照射するための装置である。放射線治療装置は治療に際してリニアックグラフィを撮影する。撮影したリニアックグラフィはネットワーク５を介して医用画像表示システム２ｂに送信される。医用画像表示システム２ｅは受信したリニアックグラフィ（画像）をデータベース２５に記憶する。
【０１０５】
なお、リニアックグラフィのデータには、患者の識別情報（患者ＩＤ）や、放射線治療装置の識別情報（モダリティＩＤ）、治療の識別情報（治療ＩＤ）、画像の識別情報（画像ＩＤ）、治療日時情報等が付帯情報として付加されている。
【０１０６】
放射線治療計画装置４９は、放射線治療の計画を作成する装置である。放射線治療計画装置４９はネットワーク５を介して、医用画像表示システム２ｅに対して治療計画情報を送信する。医用画像表示システム２ｂは受信した治療計画情報をデータベース２５に記憶する。
【０１０７】
次に、図２０を参照して、第５の実施の形態の診療情報表示システム１ｅにおけるデータの流れを説明する。
図２０に示すように、医用画像表示システム２ｅには放射線治療計画装置４９から治療の履歴情報及び予約情報（治療計画情報）がインターフェイス部２１を介して入力される。また各放射線治療装置３８からリニアックグラフィや位置決め画像等の医用画像がインターフェイス部２１を介して入力される。入力された医用画像データ２５１ｅ及び治療計画情報２５２ｅはデータベース２５に記憶される。
【０１０８】
データベース２５の治療計画情報２５２Ｅは第１の実施の形態において説明した検査予約情報（図４参照）と同様に、例えば、１回の治療につき１レコードの形式で順次登録される。各レコードには、少なくとも患者ＩＤ、検査ＩＤ、検査日時、モダリティＩＤ、画像ＩＤ、治療済みフラグ等の項目が含まれるものとする。また、その他の関連情報と紐づけられるようにしてもよい。例えば電子カルテやその他の情報システム４から得られる情報と関連付けられるようにしてもよい。
【０１０９】
医用画像表示システム２ｅの入力装置２６（図２に示すコンピュータの入力部１０３）から選択患者の診療情報表示指示が入力されると、データ取得部２２（図２に示すコンピュータの制御部１０１）はその患者についての治療計画情報の情報取得要求をデータベース２５に対して送信する。データ取得部２２はデータベース２５から該当患者についての治療計画情報を取得する。このとき、ヒストリ表を作成するのに必要な表枠データやアイコンのデータ等もデータベース２５或いはデータベース２５とは別の記憶部から取得するようにしてもよい。
【０１１０】
表示制御部２３（図２に示すコンピュータの制御部１０１）は、現在（本日）を基準として過去から未来を含む所定の日時範囲のヒストリ表を作成する。ヒストリ表のレイアウト及び作成手順は第１の実施の形態と同様である。１軸を時間軸とし、検査や治療の日時に対応する位置に、それらの情報を示すアイコンまたは文字列を配置した表である。表示制御部２３は、まず、ヒストリ表の表枠を生成し、表枠内の該当する日時位置に受信した治療計画情報を示すアイコンや文字列を配置するためのレイアウトデータを生成する。表示制御部２３により生成されたヒストリ表のレイアウトデータは、操作者により診療情報表示指示が入力された端末の表示装置２４に送られて表示される。
【０１１１】
また、医用画像表示システム２ｅの入力装置２６からヒストリ表内に配置されたいずれかのアイコンの選択指示が入力されると、選択されたアイコンに該当する検査に関するデータの取得要求がデータ取得部２２からデータベース２５に送られる。データベース２５からデータ取得部２２に対して医用画像（リニアックグラフィ等）や詳細情報等の応答が送信され、表示制御部２３に送られる。表示制御部２３は、受信した医用画像（リニアックグラフィ等）や詳細情報を要求元の端末の表示装置２４に送る。
【０１１２】
図２１は、第５の実施の形態における診療情報表示画面６ｅの一例である。
第５の実施の形態のヒストリ表６３ｅの表枠及び表示期間、本日線６５の配置については第１の実施の形態のヒストリ表６３（図７参照）と同様である。第５の実施の形態のヒストリ表６３ｅには検査と治療について、それぞれ表示欄が形成されている。例えば、該当患者の検査予約情報にＣＴ検査とＭＲ検査が含まれ、更に放射線治療の治療計画情報が含まれる場合は、図２１に示すように、少なくとも、ＣＴ検査の検査予約情報を配置する欄と、ＭＲ検査の検査予約情報を配置する欄と、放射線治療の治療計画情報（治療履歴及び治療計画）を配置する欄とが形成される。
【０１１３】
放射線治療を示すアイコンは、表示制御部２３がヒストリ表６３ｅを作成する時点で既にデータベース２５に対応するリニアックグラフィが記憶されている場合は、そのリニアックグラフィのサムネイル画像を「放射線治療実施済み」を示すアイコンとして使用する。通常、放射線治療では、放射線の照射は複数回実施されるが、リニアックグラフィ撮影や位置決め画像撮影は最初の１回だけ行われる。そのため、２回目以降の治療では対応するリニアックグラフィがない場合がある。そのため、表示制御部２３がヒストリ表６３ｆを作成する時点でリニアックグラフィを取得していない治療（２回目以降の治療）については、図形やイラストで示したＧＵＩを「放射線治療実施済み」のアイコンとして使用する。図２１の例では黒の星印８８が治療実施済みを示すアイコンである。未実施のアイコンは、白の星印８９で示されている。
【０１１４】
入力装置２６からヒストリ表６３ｅ内のアイコン８８、８９やサムネイル画像７１、７２が選択されると、制御部１０１（データ取得部２２）は、選択されたアイコンやサムネイル画像に対応する医用画像（リニアックグラフィ）や詳細情報の取得要求をデータベース２５に送信する。データベース２５から医用画像（リニアックグラフィ）や詳細情報を取得すると、制御部１０１（表示制御部２３）は、診療情報表示画面６ｅのシェアウィンドウ６４内に取得した画像（リニアックグラフィ）や、治療計画情報の詳細情報９０を表示する。
【０１１５】
また、ヒストリ表６３ｅに配置された治療計画情報の各アイコンに対してダブルクリック等の所定の操作を行うと、治療済みのステータスを変更できるようにしてもよい。従来の放射線治療装置には、照射終了（治療終了）を示すステータスを含まない照射情報（治療を実施した旨の情報）を医用画像表示システム２ｂに通知する仕様のものや、リニアックグラフィ撮影や位置決め画像以外、全く照射情報を送信しない仕様のものもある。この種の放射線治療装置を利用する場合を想定し、ヒストリ表内の治療計画情報のアイコンをダブルクリックするなど所定の操作を行うと、手動で治療済みのステータスに変更可能とすることが望ましい。
【０１１６】
以上説明したように、第５の実施の形態の診療情報表示システム１ｅによれば、放射線治療の治療計画情報を現在から未来にわたって俯瞰できる。また、検査画像を治療計画情報と併せて同一画面上で同一の時間軸で確認できる。これにより、治療計画の妥当性を容易に確認可能となる。また、放射線治療の効果を確かめるための検査画像を撮影し、医用画像表示システム２ｂに保存・管理している場合は、検査画像と治療計画情報とを同じ時間軸上で確認することができる。よって治療の効果を容易に確認することができる。
【０１１７】
［第６の実施の形態］
次に、図２２〜図２４を参照して本発明の第６の実施の形態について説明する。
第６の実施の形態では、図２２に示すように、医用画像表示システム２ｆと、遠隔地に設置した遠隔治療コンサルティングシステム９とを、ＷＥＢ等のネットワーク５を介して接続して利用する診療情報表示システム１ｆについて説明する。
【０１１８】
遠隔治療コンサルティングシステム９は、遠隔地に設置されている複数の放射線治療計画装置９２ａ、９２ｂ、…と、各放射線治療計画装置９２ａ、９２ｂ、…とネットワーク接続された遠隔治療コンサルティングサーバ９１とにより構成されるシステムである。遠隔治療コンサルティングシステム９は、特殊症例等の治療スキルのない病院と遠隔の医療施設にいる専門医とが連携して、患者の医療計画を作成するための仕組みである。
【０１１９】
遠隔治療コンサルティングシステム９の遠隔治療コンサルティングサーバ９１に対して、例えば、特殊症例等の治療スキルのない病院の医用画像表示システム２ｆから治療計画の作成の依頼が送信されると、遠隔治療コンサルティングサーバ９１は受信した治療計画依頼を複数の放射線治療計画装置９２ａ、９２ｂ、…に送信し、治療計画案の立案を依頼する。放射線治療計画装置９２ａ、９２ｂ、…はコンサルティング契約を結んだ複数の専門医にそれぞれ配されている。専門医は放射線治療計画装置９２ａ、９２ｂ、…で受信した治療計画依頼に付随する検査画像や生理検査結果等を参照し、これらを元に治療計画案を立案し、遠隔治療コンサルティングサーバ９１に返信する。遠隔治療コンサルティングサーバ９１は専門医の放射線治療計画装置９２ａ、９２ｂ、…から受け取った治療計画案を依頼元の病院の医用画像表示システム２ｆに送信する。
【０１２０】
依頼元の病院は、医用画像表示システム２ｆで受信した治療計画案を主治医等のＰＣで閲覧できるように表示する。主治医等が適当な治療計画案を選択し、治療予定日を決定して入力すると、医用画像表示システム２の表示制御部２３は、選択した治療計画案を治療計画情報としてデータベース２５に保存する。
【０１２１】
また、図２２に示すように、第６の実施の形態の医用画像表示システム２ｆは第１の実施の形態の医用画像表示システム２と同様の機能部（インターフェイス部２１、データ取得部２２、表示制御部２３、表示装置２４、データベース２５）に加え、治療計画依頼制御部２９を有する。
【０１２２】
治療計画依頼制御部２９は、医用画像表示システム２と遠隔治療コンサルティングサーバ９との間で治療計画の依頼及び治療計画案の受信に関する処理を行う。また、治療計画依頼制御部２９は、医用画像表示システム２ｆのクライアント端末に対して治療計画案の一覧を閲覧可能に表示する。更に、治療計画依頼制御部２９は、選択された治療計画案に基づいて決定、入力された治療予定日等を治療計画情報としてデータベース２５に登録する処理を行う。
【０１２３】
データベース２５に保存された治療計画情報は、第５の実施の形態の治療計画情報と同様に扱うことが可能である。例えば、表示制御部２３によるヒストリ表の表示等に使用できる。
【０１２４】
次に、図２３を参照して、診療情報表示システム１におけるデータの流れを説明する。
図２３に示すように、医用画像表示システム２ｆにおいて入力装置（クライアント端末）２６から治療計画依頼制御部２９に対して指定患者の治療計画案作成依頼が入力される。治療計画依頼制御部２９は、指定患者に対応付けて記憶されている検査画像や検査情報等の治療計画の作成時に参照すべきデータをデータベース２５から取得する。治療計画依頼制御部２９は、取得した検査画像や検査情報等を含む治療計画案作成依頼を作成し、インターフェース部２１を介して遠隔治療コンサルティングサーバ９１に送信する。
【０１２５】
遠隔治療コンサルティングサーバ９１は、複数の専門医に配された放射線治療計画装置９２ａ、９２ｂ、…に対して、治療計画案作成依頼を送信する。放射線治療計画装置９２ａ、９２ｂ、…が配された施設の専門医等は、治療計画案作成依頼に含まれる画像や生理検査情報等に基づいて治療計画案を立案し、放射線治療計画装置９２ａ、９２ｂ、…に入力する。放射線治療計画装置９２ａ、９２ｂ、…は入力された治療計画案を遠隔治療コンサルティングサーバ９１へ送信する。遠隔治療コンサルティングサーバ９１は、各放射線治療計画装置９２ａ、９２ｂ、…から受信した治療計画案を、医用画像表示システム２ｆに対して送信する。
【０１２６】
医用画像表示システム２ｆは、インターフェイス部２１を介して、治療計画案を受信すると、治療計画依頼制御部２９に送る。治療計画依頼制御部２９は、受信した治療計画案をデータベース２５に患者ＩＤに関連付けて保存する。
【０１２７】
医用画像表示システム２ｆの入力装置２６から選択患者の治療計画案表示指示が入力されると、治療計画依頼制御部２９は、その患者についての治療計画案の情報取得要求をデータベース２５に対して送信する。治療計画依頼制御部２９はデータベース２５から該当患者についての治療計画案を取得し、一覧表示する。
【０１２８】
医用画像表示システム２ｆにおいて一覧表示された複数の治療計画案から適当な治療計画案が選択され、医師等により治療予定日が決定されて入力されると、治療計画依頼制御部２９は、選択された治療計画案と入力された治療予定日とを治療計画情報として患者と関連付けてデータベース２５に保存する。
【０１２９】
次に、図２４を参照しながら、第６の実施の形態の診療情報表示システム１ｆの動作について説明する。
【０１３０】
医用画像表示システム２ｆを操作する主治医から患者の治療計画依頼の指示が入力されると（ステップＳ４０１；Ｙｅｓ）、医用画像表示システム２ｆのサーバ装置の制御部１０１（治療計画依頼制御部２９）は、該当する患者の検査画像や生理検査結果情報等をデータベース２５から取得し（ステップＳ４０２）、治療計画依頼とともに遠隔治療コンサルティングサーバ９１に対して送信する（ステップＳ４０３）。
【０１３１】
遠隔治療コンサルティングサーバ９１は、治療計画依頼を受信すると（ステップＳ４０４）、ネットワーク５を介して接続された複数の放射線治療計画装置９２ａ、９２ｂ、…に対して治療計画案の立案依頼を送信する（ステップＳ４０５）。治療計画案の立案依頼には、患者の検査画像や生理検査結果情報等が含まれている。
【０１３２】
専門医は、放射線治療計画装置９２ａ、９２ｂ、…で受信した治療計画案の立案依頼に含まれる画像や生理検査結果情報等に基づいて治療計画案を作成し、放射線治療計画装置９２ａ、９２ｂ、…に入力する。放射線治療計画装置９２ａ、９２ｂ、…は、専門医により入力された治療計画案を遠隔治療コンサルティングサーバ９１に返信する。遠隔治療コンサルティングサーバ９１は、放射線治療計画装置９２ａ、９２ｂ、…から治療計画案を受信する（ステップＳ４０６）。
【０１３３】
遠隔治療コンサルティングサーバ９１は、放射線治療計画装置９２ａ、９２ｂ、…から受信した治療計画案を医用画像表示システム２ｆに送信する（ステップＳ４０７）。
【０１３４】
医用画像表示システム２ｆは、遠隔治療コンサルティングサーバ９１から送信される治療計画案を受信し（ステップＳ４０８）、患者の識別情報に関連付けてデータベース２５に保存する（ステップＳ４０９）。また、医用画像表示システム２のクライアント端末において操作者から指定患者の治療計画案の閲覧指示（一覧表示指示）が入力されると（ステップＳ４１０；Ｙｅｓ）、制御部１０１（治療計画依頼制御部２９）は、指定された患者に関連付けられた治療計画案をデータベース２５から読み出す（ステップＳ４１１）。制御部１０１（治療計画依頼制御部２９）は、治療計画案を作成し、要求元のクライアント端末に返信する。クライアント端末では、治療計画案の一覧を表示する（ステップＳ４１２）。
【０１３５】
クライアント端末において表示されている治療計画案の一覧から、主治医により適当な治療計画案が選択され、治療予定日等が入力されると（ステップＳ４１３；Ｙｅｓ）、制御部１０１（治療計画依頼制御部２９）は、主治医が選択した治療計画案を、入力した治療予定日とともに治療計画情報として依頼した患者と関連付けてデータベース２５に保存する（ステップＳ４１４）。
【０１３６】
データベース２５に保存された治療計画情報は、第５の実施の形態の治療計画情報と同様に、ヒストリ表の作成時に参照され、ヒストリ表内に配置される。
【０１３７】
以上説明したように、第６の実施の形態の診療情報表示システム１ｆによれば、遠隔治療コンサルティングシステム９に対して治療依頼計画の作成を依頼する手順が容易となる。これにより、特殊な症例等に対する治療計画を立案するスキルのない病院等でも、専門医が作成した治療計画案を参考に放射線治療の計画立案を行うことが可能となる。
【０１３８】
以上、添付図面を参照しながら、本発明の好適な実施形態について説明したが、本発明はかかる例に限定されない。例えば、ヒストリ表の表示形式や使用するアイコン等は一例であり、各種の変更例を含むものとする。また、本診療情報表示システム１では、医用画像表示システム２において診療情報表示画面６を作成し、表示するものとしたが、これに限定されず、例えば医用画像表示システム２において作成した診療情報表示画面６を、他の情報システム４に送信し、他の情報システム４で閲覧できるようにしてもよい。また、医用画像表示システム２以外の他の情報システム４に本発明の診療情報表示画面６を作成したり、表示する機能を設けるようにしてもよい。
【０１３９】
その他、当業者であれば、本願で開示した技術的思想の範疇内において、各種の変更例又は修正例に想到し得ることは明らかであり、それらについても当然に本発明の技術的範囲に属するものと了解される。
【符号の説明】
【０１４０】
１、１ａ、１ｅ、１ｆ・・診療情報表示システム
２、２ａ、２ｅ、２ｆ・・医用画像表示システム
２１・・・・・・・・・・インターフェイス部
２２・・・・・・・・・・データ取得部
２３・・・・・・・・・・表示制御部
２４・・・・・・・・・・表示装置
２５・・・・・・・・・・データベース（記憶部）
２５１、２５１Ｅ・・・・医用画像
２５２・・・・・・・・・検査予約情報
２５２Ｅ・・・・・・・・治療計画情報
２５２ｆ・・・・・・・・検査済みフラグ
２５３・・・・・・・・・患者情報
２５４・・・・・・・・・アイコンデータ
２６・・・・・・・・・・入力装置
２７・・・・・・・・・・予約修正・コメント送信部
２９・・・・・・・・・・治療計画依頼制御部
３・・・・・・・・・・・医用画像診断装置
３８・・・・・・・・・・放射線治療装置
４・・・・・・・・・・・情報システム
４１・・・・・・・・・・放射線情報システム（ＲＩＳ）
４２・・・・・・・・・・電子カルテシステム
４３・・・・・・・・・・病院情報システム（ＨＩＳ）
４４・・・・・・・・・・医事会計システム
４５・・・・・・・・・・オーダリングシステム
４６・・・・・・・・・・健診システム
４８・・・・・・・・・・主治医のＰＣ
４９・・・・・・・・・・放射線治療計画装置
５・・・・・・・・・・・ネットワーク
６、６ａ、６ｂ、６ｃ、６ｄ、６ｅ・・・診療情報表示画面
６１、６１ｄ・・・・・・第１画面
６２、６２ｄ・・・・・・第２画面
６３、６３Ａ、６３Ｂ、６３Ｃ・・・ヒストリ表
６３ｄ、６３ｅ・・・・・ヒストリ表
６４・・・・・・・・・・シェアウィンドウ
６５・・・・・・・・・・本日線
６６Ａ、６６Ｂ、６６Ｃ・・・・患者情報
６７・・・・・・・・・・スクロールバー
７０・・・・・・・・・・患者選択画面
７０ａ・・・・・・・・・チェックボックス
７０ｃ・・・・・・・・・ヒストリ比較表示ボタン
７１、７２・・・・・・・サムネイル画像
７３・・・・・・・・・・予約アイコン
７４・・・・・・・・・・ＣＴ画像
７５・・・・・・・・・・ＭＲ画像
７６・・・・・・・・・・詳細情報
７７・・・・・・・・・・画像表示エリア
７８・・・・・・・・・・詳細情報表示エリア
７９・・・・・・・・・・シリーズ画像表示エリア
８１・・・・・・・・・・予約キャンセルボタン
８２・・・・・・・・・・予約変更ボタン
８３・・・・・・・・・・コメントボタン
８４・・・・・・・・・・コメント入力画面
８５・・・・・・・・・・入力欄
８６・・・・・・・・・・送信ボタン
８７・・・・・・・・・・リニアックグラフィ
８８・・・・・・・・・・実施済みの治療アイコン
８９・・・・・・・・・・未実施の治療アイコン
９０・・・・・・・・・・治療計画情報
９・・・・・・・・・・・遠隔治療コンサルティングシステム
９１・・・・・・・・・・遠隔治療コンサルティングサーバ
９２ａ、９２ｂ・・・・・放射線治療計画装置
【図１】
2014153920.tif 000003
【図２】
2014153920.tif 000004
【図３】
2014153920.tif 000005
【図４】
2014153920.tif 000006
【図５】
2014153920.tif 000007
【図６】
2014153920.tif 000008
【図７】
2014153920.tif 000009
【図８】
2014153920.tif 000010
【図９】
2014153920.tif 000011
【図１０】
2014153920.tif 000012
【図１１】
2014153920.tif 000013
【図１２】
2014153920.tif 000014
【図１３】
2014153920.tif 000015
【図１４】
2014153920.tif 000016
【図１５】
2014153920.tif 000017
【図１６】
2014153920.tif 000018
【図１７】
2014153920.tif 000019
【図１８】
2014153920.tif 000020
【図１９】
2014153920.tif 000021
【図２０】
2014153920.tif 000022
【図２１】
2014153920.tif 000023
【図２２】
2014153920.tif 000024
【図２３】
2014153920.tif 000025
【図２４】
2014153920.tif 000026